【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
少なくとも１つのＷＴＲＵ(無線送信／受信ユニット）ための基地局機能を実行する装置であって、
第１の割当を第１のＷＴＲＵに送信することであって、前記第１の割当は、非競合ベース（ＮＣＢ）アップリンク制御チャネルの割当であり、前記第１の割当は、前記ＮＣＢアップリンク制御チャネルを介したスケジューリング要求（ＳＲ）を送信するための前記第１のＷＴＲＵについての設定を含み、前記設定は、前記ＮＣＢアップリンク制御チャネル上でスケジューリング要求を送信するために前記第１のＷＴＲＵに割り当てられる周期性を示し、および前記ＮＣＢアップリンク制御チャネルのどのサブキャリアリソースが前記スケジューリング要求の送信のために前記第１のＷＴＲＵにより使用されるべきかを示し、
前記第１の割当に従って前記ＮＣＢアップリンク制御チャネルを介してスケジューリング要求を受信することであって、前記送信されたスケジューリング要求は、送信バーストを含み、前記第１の割当により前記第１のＷＴＲＵに割当てられたＮＣＢアップリンクチャネルリソース上の前記送信バーストの存在は、前記第１のＷＴＲＵによるアップリンク送信リソースの要求を表しており、
ダウンリンク制御チャネルを介して送信を前記第１のＷＴＲＵに送信することであって、前記ダウンリンク制御チャネル上の送信は、前記第１のＷＴＲＵに割り当てられた識別子を用いて前記第１のＷＴＲＵに送信され、前記ダウンリンク制御チャネル上の送信は、第２の割当を含み、前記第２の割当は、前記第１のＷＴＲＵに対するアップリンク共有チャネルの割当であり、
前記第２の割当に従った前記アップリンク共有チャネルを介して前記第１のＷＴＲＵからアップリンク送信を受信するように構成されたプロセッサを備えたことを特徴とする装置。
【請求項２】
無線送信／受信ユニット（ＷＴＲＵ）であって、
スケジューリング要求を送信するための非競合ベース（ＮＣＢ）アップリンク制御チャネル構成を受信し、第１のＮＣＢアップリンク制御チャネル構成は、第１のＮＣＢアップリンク制御チャネルリソースを使用してスケジューリング要求を送信するために前記ＷＴＲＵに割り当てられる周期性を示しており、
前記ＷＴＲＵに割り当てられた前記周期性に従って、前記第１のＮＣＢアップリンク制御チャネルリソースを使用してスケジューリング要求を送信し、前記第１のＮＣＢアップリンク制御チャネル構成に関連付けられた前記第１のＮＣＢアップリンク制御チャネルリソース上の前記スケジューリング要求の存在は、前記ＷＴＲＵがアップリンク送信リソースを要求していることを示しており、および前記スケジューリング要求は送信されることになるアップリンクデータのサービス品質（ＱｏＳ）情報を表している
ように構成されたプロセッサを備えた、ＷＴＲＵ。
【請求項３】
前記プロセッサは、
ダウンリンク制御チャネルを監視し、
前記ダウンリンク制御チャネル上の送信によって示されるＷＴＲＵ識別子に基づいて、前記ダウンリンク制御チャネル上の前記送信が前記ＷＴＲＵに対するものであると検出し、前記ダウンリンク制御チャネル上の前記送信は、アップリンク共有チャネルの割り当てを備え、
前記アップリンク共有チャネルの前記割り当てに従って、前記アップリンク共有チャネルを介して前記アップリンクデータを送信する、
ようにさらに構成された、請求項２に記載のＷＴＲＵ。
【請求項４】
前記スケジューリング要求は、送信されることになる前記アップリンクデータに関連付けられた優先度を示す、請求項２に記載のＷＴＲＵ。
【請求項５】
前記第１のＮＣＢアップリンク制御チャネルリソースは、直交周波数分割多元接続（ＯＦＤＭＡ）通信システムにおける第１の複数のサブキャリアに対応する、請求項２に記載のＷＴＲＵ。
【請求項６】
前記第１のＮＣＢアップリンク制御チャネルリソースは、送信に使用されるサブキャリアリソース、送信に使用されるスロット、および送信に使用されるコードに対応する、請求項２に記載のＷＴＲＵ。
【請求項７】
前記非競合ベース（ＮＣＢ）アップリンク制御チャネル構成は制御メッセージで受信され、送信に使用される前記サブキャリアリソース、送信に使用される前記スロット、および送信に使用される前記コードは、非競合ベース（ＮＣＢ）アップリンク制御チャネル構成で示される、請求項６に記載のＷＴＲＵ。
【請求項８】
前記プロセッサは、前記第１のＮＣＢアップリンク制御チャネルリソースを使用して１つまたは複数の基準信号を送信するようにさらに構成された、請求項２に記載のＷＴＲＵ。
【請求項９】
無線送信／受信ユニット（ＷＴＲＵ）によって実施される方法であって、
前記ＷＴＲＵが、スケジューリング要求を送信するための非競合ベース（ＮＣＢ）アップリンク制御チャネル構成を受信するステップであって、第１のＮＣＢアップリンク制御チャネル構成は、第１のＮＣＢアップリンク制御チャネルリソースを使用してスケジューリング要求を送信するために前記ＷＴＲＵに割り当てられる周期性を示す、ステップと、
前記ＷＴＲＵが、前記ＷＴＲＵに割り当てられた前記周期性に従って、前記第１のＮＣＢアップリンク制御チャネルリソースを使用してスケジューリング要求を送信するステップであって、前記第１のＮＣＢアップリンク制御チャネル構成に関連付けられた前記第１のＮＣＢアップリンク制御チャネルリソース上の前記スケジューリング要求の存在は、前記ＷＴＲＵがアップリンク送信リソースを要求していることを示しており、および前記スケジューリング要求は送信されることになるアップリンクデータのサービス品質（ＱｏＳ）情報を表している、ステップと、
を含む、方法。
【請求項１０】
前記ＷＴＲＵが、ダウンリンク制御チャネルを監視するステップと、
前記ＷＴＲＵが、前記ダウンリンク制御チャネル上の送信によって示されるＷＴＲＵ識別子に基づいて、前記ダウンリンク制御チャネル上の前記送信が前記ＷＴＲＵに対するものであると検出するステップであって、前記ダウンリンク制御チャネル上の前記送信は、アップリンク共有チャネルの割り当てを備える、ステップと、
前記ＷＴＲＵが、前記アップリンク共有チャネルの前記割り当てに従って、前記アップリンク共有チャネルを介して前記アップリンクデータを送信するステップと、
をさらに含む、請求項９に記載の方法。
【請求項１１】
前記スケジューリング要求は、送信されることになる前記アップリンクデータに関連付けられた優先度を示す、請求項９に記載の方法。
【請求項１２】
前記第１のＮＣＢアップリンク制御チャネルリソースは、直交周波数分割多元接続（ＯＦＤＭＡ）通信システムにおける第１の複数のサブキャリアに対応する、請求項９に記載の方法。
【請求項１３】
前記第１のＮＣＢアップリンク制御チャネルリソースは、送信に使用されるサブキャリアリソース、送信に使用されるスロット、および送信に使用されるコードに対応する、請求項９に記載の方法。
【請求項１４】
前記非競合ベース（ＮＣＢ）アップリンク制御チャネル構成は制御メッセージで受信され、送信に使用される前記サブキャリアリソース、送信に使用される前記スロット、および送信に使用される前記コードは、非競合ベース（ＮＣＢ）アップリンク制御チャネル構成で示される、請求項１３に記載の方法。
【請求項１５】
前記ＷＴＲＵが、前記第１のＮＣＢアップリンク制御チャネルリソースを使用して１つまたは複数の基準信号を送信するステップをさらに含む、請求項９に記載の方法。
【請求項１６】
無線送信／受信ユニット（ＷＴＲＵ）によって実施される方法であって、
前記ＷＴＲＵが、非競合ベース（ＮＣＢ）アップリンク制御チャネルの割り当てを受信するステップであって、構成は、前記ＮＣＢアップリンク制御チャネルを介して送信するために前記ＷＴＲＵに割り当てられた周期性を示している、ステップと、
前記ＷＴＲＵが、ハイブリッド自動再送要求（ＨＡＲＱ）送信を受信するステップと、
前記ＷＴＲＵが、前記ＮＣＢアップリンク制御チャネルの前記割り当てに従って、前記ＮＣＢアップリンク制御チャネル上で前記ＨＡＲＱ送信に対するＨＡＲＱフィードバックを送信するステップと
を含む、方法。
【請求項１７】
前記構成は、前記ＮＣＢアップリンク制御チャネルを介して送信するために前記ＷＴＲＵに割り当てられたサブキャリアリソースを示している、請求項１６に記載の方法。
【請求項１８】
前記ＨＡＲＱフィードバックは、肯定的なＨＡＲＱ確認応答（ＡＣＫ）または否定的なＨＡＲＱ確認応答（ＮＡＣＫ）のうちの１つまたは複数を含む、請求項１６に記載の方法。
【請求項１９】
前記ＷＴＲＵは、１つまたは複数のデータ送信を受信すると、前記ＮＣＢアップリンク制御チャネルの前記割り当ての使用を開始し、前記１つまたは複数のデータ送信の受信に成功したことを示した後、前記ＮＣＢアップリンク制御チャネルの前記割り当ての使用を停止する、請求項１６に記載の方法。
【請求項２０】
無線送信／受信ユニット（ＷＴＲＵ）であって、
非競合ベース（ＮＣＢ）アップリンク制御チャネルの割り当てを受信し、構成は、前記ＮＣＢアップリンク制御チャネルを介して送信するために前記ＷＴＲＵに割り当てられた周期性を示し、
ハイブリッド自動再送要求（ＨＡＲＱ）送信を受信し、
前記ＮＣＢアップリンク制御チャネルの前記割り当てに従って、前記ＮＣＢアップリンク制御チャネル上で前記ＨＡＲＱ送信に対するＨＡＲＱフィードバックを送信する
ように構成されたプロセッサおよびメモリを備えた、ＷＴＲＵ。
【請求項２１】
前記構成は、前記ＮＣＢアップリンク制御チャネルを介して送信するために前記ＷＴＲＵに割り当てられたサブキャリアリソースを示している、請求項２０に記載のＷＴＲＵ。
【請求項２２】
前記ＨＡＲＱフィードバックは、肯定的なＨＡＲＱ確認応答（ＡＣＫ）または否定的なＨＡＲＱ確認応答（ＮＡＣＫ）のうちの１つまたは複数を含む、請求項２０に記載のＷＴＲＵ。
【請求項２３】
前記ＷＴＲＵは、１つまたは複数のデータ送信を受信すると、前記ＮＣＢアップリンク制御チャネルの前記割り当ての使用を開始し、前記１つまたは複数のデータ送信の受信に成功したことを示した後、前記ＮＣＢアップリンク制御チャネルの前記割り当ての使用を停止するように構成された、請求項２０に記載のＷＴＲＵ。